(57)【要約】      （修正有）【課題】外観を覆うシュリンクフィルムを外すことによって、外観形状を変化させることができる鏡餅状容器を提供する。【解決手段】鏡餅状容器１は、合成樹脂素材によって鏡餅形状に成形され、餅Ａを収容する収容部６を備えた容器本体２と、容器本体２の上部に着脱可能に設けられた装飾体１１と、下端に開放口１７が形成され、容器本体２の上部に設けられた装飾体１１を覆う透明カバー１６と、透明カバー１６の開放口１７の外周縁に形成され、容器本体２の上部に当接するフランジ１９とからなるカバー部材１５と、カバー部材１５のフランジ１９を包み込むようにして容器本体２をシュリンクするシュリンクフィルム２１，２２とからなる。【選択図】図３
2009190772.tif 000002
【特許請求の範囲】
【請求項１】
合成樹脂素材によって鏡餅形状に成形され、餅を収容する収容部を備えた容器本体と、
当該容器本体の上部に着脱可能に設けられた装飾体と、
下端に開放口が形成され、前記容器本体の上部に設けられた前記装飾体を覆う透明カバーと、当該透明カバーの開放口の外周縁に形成され、前記容器本体の上部に当接するフランジとからなるカバー部材と、
当該カバー部材のフランジを包み込むようにして前記容器本体をシュリンクするシュリンクフィルムとからなることを特徴とする鏡餅状容器。
【請求項２】
前記容器本体の上部と前記装飾体の下部の何れか一方に係止凸部が形成され、
前記容器本体の上部と前記装飾体の下部の前記係止凸部が形成されていない他方に係止凹部が形成されており、
前記装飾体は、前記係止凸部を前記係止凹部に係止させることによって、前記容器本体に安定して保持されることを特徴とする請求項１記載の鏡餅状容器。
【請求項３】
前記容器本体の下部には、餅を前記収容部に収容する開口が形成され、
当該開口の周縁には鍔が形成されており、
当該鍔には、前記開口を塞ぐ蓋シートが剥離可能に取り付けられており、
前記シュリンクフィルムは、前記容器本体の鍔と前記蓋シートの端部を包み込むようにしてシュリンクしていることを特徴とする請求項１又は２記載の鏡餅状容器。
【発明の詳細な説明】
【技術分野】
【０００１】
本発明は、鏡餅の形状に成形され、内部に餅を収容した鏡餅状容器に関する。
【背景技術】
【０００２】
従来、鏡餅の形状に成形され、内部に餅を収容した鏡餅状容器が存在する。鏡餅状容器は、正月のお供えものとして利用されている（例えば、特許文献１）。鏡餅状容器は、お餅と同色の白色の合成樹脂素材によって成形され、お餅を二段重ねにしたような形状、即ち、上段餅形状部と下段餅形状部とからなっている。この鏡餅状容器の成形は、射出成形、真空成形等の種々の成形技術によって行うことができる。
【０００３】
また、従来の鏡餅状容器は、上段餅形状部の上部に、橙、人形等の装飾体を接着材、接着テープ等で固定し、この装飾体を透明なカバー部材で覆うようにしている。この透明カバー部材は、装飾体を覆う透明カバーと、上段餅形状部に嵌着して固定される嵌着部とからなる。また、鏡餅状容器は、下部に、餅を内部に収容する開口が形成され、当該開口の周縁には鍔が形成されており、当該鍔には、前記開口を塞ぐ蓋シートが剥離可能に取り付けられている。
【特許文献１】特許第３０７０５９７号公報
【発明の開示】
【発明が解決しようとする課題】
【０００４】
従来の鏡餅状容器は、餅の保存性が良いので、長期間飾ることができるものの、外観が正月用のお供えのための形状であり、主に１２月２８日から１月１１迄ぐらいまでの短期間しか飾ることがないという問題点があった。また、従来の鏡餅状容器は、上段餅形状部の上部に載せた装飾体が透明なカバー部材によって覆われているので不自然であるが、装飾体が接着材、接着テープ等で固定されているだけなので、カバー部材を外すと装飾体が不安定となり、カバー部材を外すことができないという問題点があった。なお、このカバー部材は、嵌着部が上段餅形状部に嵌着して固定されるが、嵌着部が上段餅形状部から外れてしまうと、カバー部材の厚みが非常に薄いため、嵌着部を上段餅形形状部に嵌着するのに手間がかかり、初期の状態に戻すことが難しいという問題点があった。さらに、鏡餅状容器は、餅を収容する開口が蓋シートによって塞がれているが、蓋シートの端縁が剥き出しとなっているため、蓋シートが剥がれてしまう可能性があるという問題点があった。
【０００５】
本願発明は、上記問題点に鑑み案出したものであって、外観を覆うシュリンクフィルムを外すことによって、外観形状を変化させることができ、クリスマスにも正月にも飾ることができる鏡餅状容器を提供することを第１の目的とする。また、装飾体を覆う透明なカバー部材を外しても装飾体が安定して容器本体に保持されている鏡餅状容器を提供することを第２の目的とする。さらに、餅を収容する開口を塞ぐ蓋シートの端縁をシュリンクフィルムで覆うことによって、蓋シートの剥離を防止することができる鏡餅状容器を提供することを第３の目的とする。
【課題を解決するための手段】
【０００６】
本願請求項１に係る鏡餅状容器は、上記第１の目的を達成するため、合成樹脂素材によって鏡餅形状に成形され、餅を収容する収容部を備えた容器本体と、当該容器本体の上部に着脱可能に設けられた装飾体と、下端に開放口が形成され、前記容器本体の上部に設けられた前記装飾体を覆う透明カバーと、当該透明カバーの開放口の外周縁に形成され、前記容器本体の上部に当接するフランジとからなるカバー部材と、当該カバー部材のフランジを包み込むようにして前記容器本体をシュリンクするシュリンクフィルムとからなることを特徴とする。
【０００７】
本願請求項２に係る鏡餅状容器は、上記第２の目的を達成するため、前記容器本体の上部と前記装飾体の下部の何れか一方に係止凸部が形成され、前記容器本体の上部と前記装飾体の下部の前記係止凸部が形成されていない他方に係止凹部が形成されており、前記装飾体は、前記係止凸部を前記係止凹部に係止させることによって、前記容器本体に安定して保持されることを特徴とする。
【０００８】
本願請求項３に係る鏡餅状容器は、上記第３の目的を達成するため、前記容器本体の下部には、餅を前記収容部に収容する開口が形成され、当該開口の周縁には鍔が形成されており、当該鍔には、前記開口を塞ぐ蓋シートが剥離可能に取り付けられており、前記シュリンクフィルムは、前記容器本体の鍔と前記蓋シートの端部を包み込むようにしてシュリンクしていることを特徴とする。
【発明の効果】
【０００９】
本願発明に係る鏡餅状容器は、鏡餅形状に成形された容器本体がシュリンクフィルムによって覆われているので、容器本体の外観形状を視認することができない。容器本体は、鏡餅形状であるため、上段餅形状部よりも下段餅形状部の方が大きくなっている。そのため、容器本体を覆っているシュリンクフィルムは、略円錐状となっている。シュリンクフィルムに樅の木のデザインと、星・リボン等のクリスマス用装飾品のデザインを印刷しておけば、恰もクリスマスツリーの形状となる。従って、本願発明に係る鏡餅状容器は、クリスマス時には、クリスマスツリー型置物として利用することができるという効果がある。
【００１０】
また、本願発明に係る鏡餅状容器は、動物玩具等の装飾体がクリスマスツリーの上部から突出しているように見えるので、面白みがあり、注意を引くことができるという効果がある。さらに、本願発明に係る鏡餅状容器は、装飾体を覆うカバー部材のフランジがシュリンクフィルムによって覆われているので、容器本体からカバー部材が不用意に外れてしまう虞がないという効果がある。容器本体からカバー部材を外すためには、シュリンクフィルムを取り外さなければならず、そのため、カバー部材内に収容されている装飾体は、簡単に取り出すことができない。
【００１１】
本願発明に係る鏡餅状容器は、シュリンクフィルムを外すと、鏡餅形状となるため、正月の時期に、お供え用として利用することができるという効果がある。このように、本願発明に係る鏡餅状容器は、クリスマスの時期にはクリスマス用として、正月の時期には正月用として飾ることができるという効果がある。しかも、本願発明に係る鏡餅状容器は、シュリンクフィルムを剥がすことによって、瞬時にクリスマス用から正月用に変化させることができるので、シュリンクフィルムによって容器本体の鏡餅形状が覆われていることを知らない者を驚かせることができるという効果がある。
【００１２】
本願発明に係る鏡餅状容器は、装飾体が、係止凸部と係止凹部の係止によって、容器本体に安定して保持されているので、装飾体を覆うカバー部材を外しても装飾体が容器本体に安定しているという効果がある。また、本願発明に係る鏡餅状容器は、カバー部材が装飾体によって位置決めされるので、カバー部材に嵌着部を形成して、カバー部材を上段餅形状部に嵌着して固定する手間がなく、カバー部材のフランジをシュリンクフィルムでシュリンクしてもカバー部材の位置がずれないという効果がある。
【００１３】
本願発明に係る鏡餅状容器は、シュリンクフィルムによって容器本体の鍔と蓋シートの端部を包み込むようにしてシュリンクしているので、蓋シートの端縁がシュリンクフィルムによって覆われており、そのため、蓋シートの剥離を防止することができるという効果がある。
【発明を実施するための最良の形態】
【００１４】
本願発明に係る鏡餅状容器の実施の形態を図１乃至図６に基づいて説明する。図１は、本願発明に係る鏡餅状容器の全体斜視図であって、（ａ）が正面上方から視た斜視図、（ｂ）が背面下方から視た斜視図、（ｃ）が透視斜視図である。図２は、シュリンクフィルムとカバー部材を外した鏡餅状容器の斜視図であって、（ａ）が図１に対応した斜視図、（ｂ）が他の形態の斜視図である。図３は、図１の正面断面図である。図４は、図１の分解正面図である。図５は、図１の分解斜視図である。図６は、図１の鏡餅状容器の製造過程を示す正面断面図である。
【００１５】
図３に示すように、鏡餅状容器１は、合成樹脂素材によって鏡餅形状に成形され、餅Ａを収容する収容部６を備えた容器本体２と、当該容器本体２の上部に着脱可能に設けられた装飾体１１と、下端に開放口１７が形成され、前記容器本体２の上部に設けられた前記装飾体１１を覆う透明カバー１６と、当該透明カバー１６の開放口１７の外周縁に形成され、前記容器本体２の上部に当接するフランジ１９とからなるカバー部材１５と、当該カバー部材１５のフランジ１９を包み込むようにして前記容器本体２をシュリンクするシュリンクフィルム２１，２２とからなる。
【００１６】
図１に示すように、鏡餅状容器１は、鏡餅形状に成形された容器本体２がシュリンクフィルム２１，２２によって覆われているので、容器本体２の外観形状を視認することができない。容器本体２は、鏡餅形状であるため、上段餅形状部３よりも下段餅形状部５の方が大きくなっている。そのため、容器本体２を覆っているシュリンクフィルム２１，２２は、略円錐状となっている。シュリンクフィルム２１，２２に樅の木のデザインと、星・リボン等のクリスマス用装飾品のデザインを印刷しておけば、恰もクリスマスツリーの形状となる。従って、鏡餅状容器１は、クリスマス時には、クリスマスツリー型置物として利用することができる。
【００１７】
また、鏡餅状容器１は、動物玩具等の装飾体１１がクリスマスツリーの上部から突出しているように見えるので、面白みがあり、注意を引くことができる。さらに、鏡餅状容器１は、装飾体１１を覆うカバー部材１５のフランジ１９がシュリンクフィルム２１，２２によって覆われているので、容器本体２からカバー部材１５が不用意に外れてしまう虞がない。容器本体２からカバー部材１５を外すためには、シュリンクフィルム２１，２２を取り外さなければならず、そのため、カバー部材１５内に収容されている装飾体１１は、簡単に取り出すことができない。
【００１８】
図２に示すように、鏡餅状容器１は、シュリンクフィルム２１，２２を外すと、鏡餅形状となるため、正月の時期に、お供え用として利用することができる。このように、鏡餅状容器１は、クリスマスの時期にはクリスマス用として、正月の時期には正月用として飾ることができる。しかも、鏡餅状容器１は、シュリンクフィルム２１，２２を剥がすことによって、瞬時にクリスマス用から正月用に変化させることができるので、シュリンクフィルム２１，２２によって容器本体２の鏡餅形状が覆われていることを知らない者を驚かせることができる。
【００１９】
図４，５に示すように、前記容器本体２の上部と前記装飾体１１の下部の何れか一方に係止凸部９が形成されている。前記容器本体２の上部と前記装飾体１１の下部の前記係止凸部９が形成されていない他方に係止凹部１３が形成されている。前記装飾体１１は、前記係止凸部９を前記係止凹部１３に係止させることによって、前記容器本体２に安定して保持される。
【００２０】
鏡餅状容器１は、装飾体１１が、係止凸部９と係止凹部１３の係止によって、容器本体２に安定して保持されているので、装飾体１１を覆うカバー部材１５を外しても装飾体１１が容器本体２に安定している。また、鏡餅状容器１は、カバー部材１５が装飾体１１によって位置決めされるので、カバー部材１５に嵌着部を形成して、カバー部材１５を上段餅形状部３に嵌着して固定する手間がなく、カバー部材１５のフランジ１９をシュリンクフィルム２１，２２でシュリンクしてもカバー部材１５の位置がずれない。
【００２１】
図３に示すように、前記容器本体２の下部には、餅Ａを前記収容部６に収容する開口７が形成され、当該開口７の周縁には鍔８が形成されている。当該鍔８には、前記開口７を塞ぐ蓋シート１０が剥離可能に取り付けられている。前記シュリンクフィルム２１，２２は、前記容器本体２の鍔８と前記蓋シート１０の端部を包み込むようにしてシュリンクしている。
【００２２】
鏡餅状容器１は、シュリンクフィルム２１，２２によって容器本体２の鍔８と蓋シート１０の端部を包み込むようにしてシュリンクしているので、蓋シート１０の端縁がシュリンクフィルム２１，２２によって覆われており、そのため、蓋シート１０の剥離を防止することができる。
【００２３】
鏡餅状容器１についてさらに詳細に説明する。図５に示すように、鏡餅状容器１は、容器本体２と、装飾体１１と、カバー部材１５と、シュリンクフィルム２１とからなる。容器本体２は、真空成形、射出成形等の公知の成形手段により成形され、上段餅形状部３と、下段餅形状部５とからなる。
【００２４】
図３，４に示すように、容器本体２には、内部に餅Ａを収容することができる収容部６が形成されている。下段餅形状部５の下部には、容器本体２の収容部６内に餅Ａを収納することができる開口７が形成されている。また、下段餅形状部５の開口７の外周縁には、円形の鍔８が形成されている。さらに、上段餅形状部３の上部略中央に係止凸部９が形成されている。この係止凸部９を含む上段餅形状部３と、下段餅形状部５と、鍔８が容器本体２を構成し、上記したように公知の成形手段により一体に成形されている。
【００２５】
容器本体２の開口７は、収容部６に餅Ａを収容した後、餅Ａが開口７から出ないように、蓋シート１０によって塞がれている。蓋シート１０は、薄い合成樹脂シートであって、鍔８の外径と略同じ外径の円板状に形成されており、鍔８に接着材等によって、剥離可能に貼着されている。
【００２６】
装飾体１１は、動物玩具形状に形成され、下部１２が略平坦になっており、この平坦な下部１２の略中央に係止凹部１３が形成されている。当該装飾体１１は、係止凹部１３を容器本体２の係止凸部９に係止することによって、容器本体２の上部に位置決めされて、安定して保持される。なお、装飾体は、図２（ｂ）に示すように、橙形状の装飾体１１ａであっても構わない。
【００２７】
カバー部材１５は、透明な合成樹脂素材によって、容器本体２と同様に、真空成形、射出成形等の公知の成形手段により成形され、透明カバー１６と、フランジ１９とからなる。透明カバー１６は、前記装飾体１１を完全に覆うことができる程度のドーム形状に形成され、下部に装飾体１１を挿通することができる開放口１７が形成されている。前記フランジ１９は、透明カバー１６の開放口１７の外周縁に形成され、前記容器本体２の上段餅形状部３の上面に面接触するように緩やかに湾曲した形状に形成されている。
【００２８】
図５（ａ）に示すように、シュリンクフィルム２１は、両端が接着材、熱溶着等によって固着されて筒状に形成されている。シュリンクフィルム２１は、図３に示すように、加熱されて収縮し、容器本体２の上段餅形状部３と、下段餅形状部５と、カバー部材１５のフランジ１９と、容器本体２の鍔８に密着する。
【００２９】
鏡餅状容器１は、以下のように製造する。容器本体２の収容部６内に開口７から餅Ａを収容する。容器本体２の鍔８の下面に蓋シート１０を接着材等によって剥離可能に貼着し、容器本体２の開口７を蓋シート１０によって塞ぐ。装飾体１１を、これの係止凹部１３を容器本体２の係止凸部９に係止することによって、容器本体２の上部に位置決めして載置される。
【００３０】
カバー部材１５の透明カバー１６を装飾体１１に被せるようにして、フランジ１９を容器本体２の上段餅形状部３の上面に当接させる。カバー部材１５は、装飾体１１が係止凸部９によって安定して保持されているので、この固定された装飾体１１によって位置決めされる。図６（ａ）に示すように、筒状のシュリンクフィルム２１を容器本体２に被せる。シュリンクフィルム２１の下部が容器本体２の鍔８の裏面に密着させるようにするため、容器本体２を台２３等に載せておくことが望ましい。なお、台２３を木の幹の形状にしておくと、より一層本物のクリスマスツリーに近づけることができる。
【００３１】
図６（ａ）に示す状態で加熱すると、筒状のシュリンクフィルム２１が収縮し、図３に示すように、シュリンクフィルム２１が透明カバー１６の下部、カバー部材１５のフランジ１９、上段餅形状部３、下段餅形状部５、鍔８及び蓋シート１０の下面周縁をシュリンクする。蓋シート１０の端縁部がシュリンクフィルム２１によって覆われるので、蓋シート１０が鍔８から剥がれ難くなっている。なお、図５（ｂ）、図６（ｂ）に示すように、円錐状のシュリンクフィルム２２でシュリンクしても構わないのは勿論である。シュリンクフィルム２１，２２には、破き易くするため、切れ目を形成しておくと良い。
【００３２】
図１に示すように、鏡餅状容器１は、鏡餅形状に成形された容器本体２がシュリンクフィルム２１，２２によって覆われているので、容器本体２の外観形状を視認することができない。そのため、鏡餅状容器１は、容器本体２を覆っているシュリンクフィルム２１，２２に印刷されたデザインの置物として利用することができる。図２に示すように、鏡餅状容器１は、シュリンクフィルム２１，２２を外すと、鏡餅形状となるため、お供え用として利用することができる。このように、鏡餅状容器１は、シュリンクフィルム２１，２２を剥がすことによって、瞬時にその形態を変化させることができる。
【産業上の利用可能性】
【００３３】
本願発明に鏡餅状容器は、正月のお供え物として利用可能である。
【図面の簡単な説明】
【００３４】
【図１】本願発明に係る鏡餅状容器の全体斜視図である。
【図２】シュリンクフィルムとカバー部材を外した鏡餅状容器の斜視図である。
【図３】図１の正面断面図である。
【図４】図１の分解正面図である。
【図５】図１の分解斜視図である。
【図６】図１の鏡餅状容器の製造過程を示す正面断面図である。
【符号の説明】
【００３５】
Ａ  餅
１  鏡餅状容器
２  容器本体
３  上段餅形状部
５  下段餅形状部
６  収容部
７  開口
８  鍔
９  係止凸部
１０  蓋シート
１１  装飾体
１１ａ  装飾体
１２  下部
１３  係止凹部
１５  カバー部材
１６  透明カバー
１７  開放口
１９  フランジ
２１  シュリンクフィルム
２２  シュリンクフィルム
２３  台
【図１】
2009190772.tif 000003
【図２】
2009190772.tif 000004
【図３】
2009190772.tif 000005
【図４】
2009190772.tif 000006
【図５】
2009190772.tif 000007
【図６】
2009190772.tif 000008